(57)【要約】【課題】ユーザの集中状態を簡単かつ精度良く推定できるようにする。【解決手段】ペン型デバイスＰＤに複数のセンサを設けてその測定データをパーソナル・コンピュータＰＣへ無線送信する。パーソナル・コンピュータＰＣは、ペン型デバイスＰＤから送信された各測定データの値を予め設定したしきい値範囲と比較して測定データ値がしきい値の範囲内であるか範囲外であるかを判定すると共に、上記測定データ値をそれぞれ人の集中状態を定義する「緊張」、「覚醒」及び「没入」からなる３つの要素に対応付け、上記各測定データ値としきい値範囲との比較結果に応じて当該各測定データ値が対応付けられた上記３つの要素の値を増減する。そして、上記「緊張」、「覚醒」及び「没入」からなる３つの要素値を三次元空間上にマッピングしたベクトルを生成し、このベクトルの値をもとに集中状態を推定する。【選択図】図７
2014158600.tif 000002
【特許請求の範囲】
【請求項１】
複数の測定部により測定されたユーザの生理的状態及び動きの状態を表す複数の生体情報を、前記複数の測定部から取得する手段と、
前記取得された複数の生体情報をそれぞれ予め設定したしきい値と比較する比較手段と、
前記取得された複数の生体情報をそれぞれ人の集中状態を定義する緊張、覚醒及び没入からなる３つの要素のうち少なくとも一つの要素に対応付け、前記比較手段による前記各生体情報としきい値との比較結果に応じて、当該各生体情報が対応付けられた要素の値を変更する変更手段と、
前記変更された３つの要素値を三次元空間上にマッピングしたベクトル情報を生成し、この生成されたベクトル情報を前記ユーザの集中状態の推定結果を表す情報として出力する手段と
を具備することを特徴とする集中状態推定装置。
【請求項２】
前記変更手段は、前記複数の生体情報の少なくとも一つを前記３つの要素のうちの２つ以上の要素に対応付け、前記比較手段による前記各生体情報としきい値との比較結果に応じて、当該各生体情報が対応付けられた２つ以上の要素の値をそれぞれ増減することを特徴とする請求項１記載の集中状態推定装置。
【請求項３】
ユーザに接触する状態で配置される測定装置と、この測定装置との間で無線回線を介して通信が可能な推定装置とを具備し、
前記測定装置は、
前記ユーザの生理的状態及び動きの状態を表す複数の生体情報を測定する複数種の測定部と、
前記複数の測定部により測定された複数の生体情報を、前記無線回線を介して前記推定装置へ送信する無線送信部と
を備え、
前記推定装置は、
前記測定装置から前記無線回線瀬を介して伝送された複数の生体情報を受信する手段と、
前記受信された複数の生体情報をそれぞれ予め設定したしきい値と比較する比較手段と、
前記受信された複数の生体情報をそれぞれ人の集中状態を定義する緊張、覚醒及び没入からなる３つの要素のうち少なくとも一つの要素に対応付け、前記比較手段による前記各生体情報としきい値との比較結果に応じて、当該各生体情報が対応付けられた要素の値を変更する変更手段と、
前記変更された３つの要素値を三次元空間上にマッピングしたベクトル情報を生成し、この生成されたベクトル情報を前記ユーザの集中状態の推定結果を表す情報として出力する手段と
を備えることを特徴とする集中状態推定システム。
【請求項４】
前記推定装置の変更手段は、前記複数の生体情報の少なくとも一つを前記３つの要素のうちの２つ以上の要素に対応付け、前記比較手段による前記各生体情報としきい値との比較結果に応じて、当該各生体情報が対応付けられた２つ以上の要素の値をそれぞれ変更することを特徴とする請求項３記載の集中状態推定システム。
【請求項５】
ユーザの生理的状態及び動きの状態を表す複数の生体情報を受信して当該受信された複数の生体情報をそれぞれ予め設定したしきい値と比較する比較手段と、前記受信された複数の生体情報をそれぞれ人の集中状態を定義する緊張、覚醒及び没入からなる３つの要素のうち少なくとも一つの要素に対応付け、前記比較手段による前記各生体情報としきい値との比較結果に応じて、当該各生体情報が対応付けられた要素の値を変更する変更手段と、前記変更された３つの要素値を三次元空間上にマッピングしたベクトル情報を生成して、この生成されたベクトル情報を前記ユーザの集中状態の推定結果を表す情報として出力する手段を備える集中状態推定装置との間で、無線回線を介して通信が可能な筆記具であって、
前記ユーザの皮膚温度を測定する温度センサ、皮膚の電位を測定する電位センサ及び脈波センサのうちの少なくとも１つと、前記ユーザによる筆記動作を測定する加速度センサ及び筆圧を測定する圧力センサのうちの少なくとも１つを、前記複数の生体情報を測定するための測定部として備え、
かつ前記複数の測定部により測定された生体情報を、前記無線回線を介して前記集中状態推定装置へ送信する無線送信部を備えることを特徴とする筆記具。
【請求項６】
ユーザの整理情報をもとに当該ユーザの集中状態を推定する集中状態推定装置において行われる集中状態推定方法であって、
前記集中状態推定装置が、複数の測定部により測定されたユーザの生理的状態及び動きの状態を表す複数の生体情報を、前記複数の測定部から取得する過程と、
前記集中状態推定装置が、前記取得された複数の生体情報をそれぞれ予め設定したしきい値と比較する過程と、
前記集中状態推定装置が、前記取得された複数の生体情報をそれぞれ人の集中状態を定義する緊張、覚醒及び没入からなる３つの要素のうち少なくとも一つの要素に対応付け、前記各生体情報としきい値との比較結果に応じて、当該各生体情報が対応付けられた要素の値を変更する過程と、
前記集中状態推定装置が、前記変更された３つの要素値を三次元空間上にマッピングしたベクトル情報を生成し、この生成されたベクトル情報を前記ユーザの集中状態の推定結果を表す情報として出力する過程と
を具備することを特徴とする集中状態推定方法。
【請求項７】
ユーザに接触する状態で配置される測定装置と、この測定装置との間で無線回線を介して通信が可能な推定装置とを具備するシステムにおいて行われる集中状態推定方法であって、
前記測定装置が、前記ユーザの生理的状態及び動きの状態を表す複数の生体情報を複数種の測定部により測定する過程と、
前記測定装置が、前記複数の測定部により測定された複数の生体情報を、前記無線回線を介して前記推定装置へ送信する過程と、
前記推定装置が、前記測定装置から前記無線回線瀬を介して伝送された複数の生体情報を受信する過程と、
前記推定装置が、前記受信された複数の生体情報をそれぞれ予め設定したしきい値と比較する過程と、
前記推定装置が、前記受信された複数の生体情報をそれぞれ人の集中状態を定義する緊張、覚醒及び没入からなる３つの要素のうち少なくとも一つの要素に対応付け、前記各生体情報としきい値との比較結果に応じて、当該各生体情報が対応付けられた要素の値を変更する過程と、
前記推定装置が、前記変更された３つの要素値を三次元空間上にマッピングしたベクトル情報を生成し、この生成されたベクトル情報を前記ユーザの集中状態の推定結果を表す情報として出力する過程と
を具備することを特徴とする集中状態推定方法。
【請求項８】
請求項１又は２記載の集中状態推定装置が具備する各手段に相当する処理を、前記集中状態推定装置が備えるコンピュータに実行させるプログラム。
【発明の詳細な説明】
【技術分野】
【０００１】
この発明は、生体情報をもとに人の集中状態を推定するための集中状態推定システムと、このシステムで使用される推定装置、筆記具、推定方法及びプログラムに関する。
【背景技術】
【０００２】
一般的に、ユーザの集中状態を推定する方法としては、自律神経の状態による生体情報変化、例えば脳波や皮膚電位、脈波、鼻部温度を用いて集中力を推定する方法が用いられている。生体情報の取得方法としては、ユーザにセンサを装着して生体情報を測定する方法と、カメラ等を用いて非接触で測定する方法がある。
【０００３】
しかし、生体情報はユーザの集中状態の変化の他に物理的な動作や外からの刺激によっても変化する。このため、一つの生体情報だけから集中力を正確に推定することは困難である。そこで、ユーザの生体情報に加えて周囲の環境情報を取得し、これらの生体情報と環境情報を組み合わせて分析することでユーザの心理状態を推定する技術が提案されている（例えば特許文献１を参照）。
【先行技術文献】
【特許文献】
【０００４】
【特許文献１】特開２００６−３２６１８４号公報
【発明の概要】
【発明が解決しようとする課題】
【０００５】
ところが、特許文献１に記載された技術は、単に生体情報と環境情報との直接的な組み合わせに対応して心理状態を定義したテーブルを用意し、このテーブルをもとに心理状態の推定結果を出力するものとなっている。また、複数の生体情報の組み合わせの仕方については、例えば体温の高低と発汗の有無を組み合わせただけのものに止まっている。このため、ユーザの体調の善し悪しを判定することはできても、集中の度合いを精度良く推定することまではできない。
【０００６】
この発明は上記事情に着目してなされたもので、その目的とするところは、ユーザの集中状態を簡単かつ精度良く推定できるようにした集中状態推定システムと、このシステムで使用される推定装置、筆記具、推定方法及びプログラムを提供することにある。
【課題を解決するための手段】
【０００７】
上記目的を達成するためにこの発明の第１の観点は、ユーザに接触する状態で設置され、当該ユーザの生理的状態及び動きの状態を表す複数の生体情報を測定して送信する測定装置との間で、無線回線を介して通信が可能な集中状態推定装置において、上記測定装置から複数の生体情報を取得し、この取得された複数の生体情報をそれぞれ予め設定したしきい値と比較する。また、上記取得された複数の生体情報をそれぞれ人の集中状態を定義する「緊張」、「覚醒」及び「没入」からなる３つの要素のうち少なくとも一つの要素に対応付け、上記各生体情報としきい値との比較結果に応じて、当該各生体情報が対応付けられた上記要素の値を変更する。そして、この変更された３つの要素の値を三次元空間上にマッピングしたベクトル情報を生成し、この生成したベクトル情報を上記ユーザの集中状態の推定結果を表す情報として出力するようにしたものである。
【０００８】
また、この発明の第２の観点は、上記要素値の変更に際し、上記複数の生体情報の少なくとも一つを上記３つの要素のうちの２つ以上の要素に対応付け、上記各生体情報としきい値との比較結果に応じて、当該各生体情報が対応付けられた２つ以上の要素の値をそれぞれ変更するようにしたものである。
【０００９】
さらに、この発明の第３の観点は、筆記具に、ユーザの皮膚温度を測定する温度センサ、皮膚の電位を測定する電位センサ及び脈波センサのうちの少なくとも１つと、上記ユーザによる筆記動作を測定する加速度センサ及び筆圧を測定する圧力センサのうちの少なくとも１つを測定部として設け、これらの測定部により測定された生体情報を無線送信部から無線回線を介して集中状態の推定装置へ送信し、当該推定装置に集中状態の推定処理を行わせるようにしたものである。
【発明の効果】
【００１０】
この発明の第１の観点によれば、測定部により測定される複数の生体情報がそれぞれ人の集中状態を定義する「緊張」、「覚醒」及び「没入」からなる３つの要素のうち少なくとも一つの要素に対応付けられ、これら３つの要素の値が上記測定された複数の生体情報としきい値との比較結果に応じて変更されたのち三次元空間上にマッピングされてベクトル情報となり、このベクトル情報がユーザの集中状態の推定結果として出力される。すなわち、測定された複数の生体情報が、「緊張」、「覚醒」及び「没入」からなる３つの要素により表されるベクトル情報に変換され、このベクトル情報がユーザの集中状態の推定結果として出力される。このため、ユーザの集中の状態を簡単かつ精度良くに推定することが可能となる。
【００１１】
この発明の第２の観点によれば、複数の生体情報の少なくとも一つが集中状態を定義する３つの要素のうちの２つ以上の要素に対応付けられ、これらの３つの要素値による表されるベクトル情報がユーザの集中状態の推定結果となる。このため、ある生体情報が３つの要素のうちの２つ以上の要素に影響を与える場合には、当該生体情報の値が上記２つ以上の要素の値にもれなく反映される。したがって、生体情報を上記３つの要素のいずれか１つのみに対応付ける場合に比べ、生体情報の値をより的確に精度良くベクトル情報に変換することができる。
【００１２】
この発明の第３の観点によれば、筆記具により、ユーザの皮膚温度、皮膚の電位及び脈波のうちの少なくとも１つと、ユーザによる筆記動作を表す加速度データと筆圧の圧力を表す圧力データのうちの少なくとも１つが測定され、その測定データが推定装置に送信されて集中状態の推定処理が行われる。したがって、温度センサや脈波センサ等のセンサ類をユーザに直接取着することなく、筆記時におけるユーザの生体情報及び筆記動作を表す情報を測定することが可能となる。
【００１３】
すなわちこの発明の各観点によれば、ユーザの集中状態を簡単かつ精度良く推定できるようにした集中状態推定システムと、このシステムで使用される推定装置、筆記具、推定方法及びプログラムを提供することができる。
【図面の簡単な説明】
【００１４】
【図１】この発明の原理説明に使用する集中状態推定システムの機能ブロック図。
【図２】図１に示した集中状態推定システムの集中状態推定ユニットによる処理内容を示す図。
【図３】図１に示した集中状態推定システムの集中状態推定ユニットによる生体情報の比較及び要素値の計算処理の手順と処理内容を示すフローチャート。
【図４】推定された集中状態ベクトルの表示例を示す図。
【図５】この発明の一実施形態に係る集中状態推定システムの全体構成を示す図。
【図６】図５に示した集中状態推定システムのペン型デバイスの構成を示すブロック図。
【図７】図５に示した集中状態推定システムの推定装置の構成を示すブロック図。
【図８】図７に示した推定装置による処理手順と処理内容を示すフローチャート。
【図９】図５に示した集中状態推定システムの推定装置におけるセンサデータ平滑処理を説明するための図。
【図１０】集中力の変化による指先皮膚温度の変化の一例を示す図。
【図１１】図５に示した集中状態推定システムの推定装置で用いられる集中状態推定テーブルの一例を示す図。
【発明を実施するための形態】
【００１５】
［原理］
先ず、この発明の原理を説明する。  
人の集中の状態は、「緊張」、「覚醒」及び「没入」の３要素により表すことが可能である。「緊張」とは精神的ストレスや落ち着きに関わる指標であり、精神的ストレスが高いほどまたは焦りの度合いが強いほど緊張の値は高くなる。「覚醒」とは眠気に関わる指標であり、眠さの度合いが小さいほど覚醒の値は高くなる。「没入」とは物事への熱中度に関わる指標であり、熱中している度合いが強いほど没入の値は高くなる。
【００１６】
このような点に着目し、この発明では以下のような手段を講じている。図１はこの発明の原理説明に使用する集中状態推定システムの機能ブロック図であり、１は生体情報測定装置、２は集中状態推定装置を示している。また、図２はこのうちの集中状態推定装置２における処理の流れを示している。
【００１７】
生体情報測定装置１には、上記「緊張」、「覚醒」及び「没入」の３要素に対応する生体情報を測定するための複数の測定部１１，１２，１３を設ける。そして、これらの測定部１１，１２，１３によりそれぞれ測定された生体情報を、クロック発生部１４により生成されるクロックにより相互に同期させたのち、無線送信部１５から集中状態推定装置２へ送信する。
【００１８】
集中状態推定装置２では、上記生体情報測定装置１から送られた複数の生体情報を無線受信部２１で受信したのち生体情報記憶部２２に記憶する。そして、この記憶された各生体情報をそれぞれ予め設定したしきい値と比較してこのしきい値の範囲内か否かを判定する。この比較判定処理は、例えば図３のステップＳ１〜Ｓ４に示すように、生体情報ごとに順次行われる。
【００１９】
また、集中状態算出部２４において、上記各生体情報を上記「緊張」、「覚醒」及び「没入」の３要素に対応付け、上記各生体情報の判定結果に応じてそれぞれ対応する要素の値を生体情報ごとのルールに従い増減する。例えば、温度センサによって指先皮膚温度を測定した場合を考える。皮膚温度が低い場合は「緊張」が低く「覚醒」が高い状態を示す。したがって、皮膚温度がしきい値範囲を超えて低下した場合には、「緊張」の値を減少させ「覚醒」の値を増加させる。同様に、測定部ごとにしきい値範囲との比較結果に応じて要素値を変更する。
【００２０】
続いて、上記増減処理後の３要素の値を足し合わせてベクトルを生成する。例えば、集中状態をｆ、緊張をｘ、覚醒をｙ、没入をｚとしたとき、３要素ｘ，ｙ，ｚを図４に示すように三次元空間上にマッピングすることによりベクトルｆ＝（ｘ，ｙ，ｚ）を生成する。図４ではベクトルｆ＝（−１，１，１）の場合を例示している。そして、この生成されたベクトルｆ＝（ｘ，ｙ，ｚ）をもとに、図３のステップＳ５において集中状態を推定する。
【００２１】
以上のようにこの発明によれば、生体情報を「緊張」、「覚醒」及び「没入」の３要素に対応付け、上記各生体情報の判定結果に応じてそれぞれ対応する要素の値を可変したのち、これら３要素を合成してベクトル情報を生成し、このベクトルをもとに集中状態を推定するようにしたので、生体情報をもとに人の集中状態を簡単かつ精度良く推定することが可能となる。
【００２２】
［一実施形態］
（構成）
次に、この発明の一実施形態を説明する。図５はこの発明の一実施形態に係る集中状態推定システムの全体構成を示す図である。  
このシステムは、測定装置をペン型デバイスＰＤにより構成している。そして、このペン型デバイスＰＤにより測定された筆記者の複数種の生体情報を、無線ネットワークＮＷを介して推定装置としてのパーソナル・コンピュータＰＣへ送信し、このパーソナル・コンピュータＰＣにおいて筆記者の集中状態を推定するための処理を行うように構成している。
【００２３】
ペン型デバイスＰＤのグリップ部には、ユーザの生体情報を測定するための測定部として、皮膚温度センサ１０１、脈波センサ１０２及び皮膚電位センサ１０３を設置している。また、ペン先に近い位置には加速度センサ１０４を配置し、ペンの内部には圧力センサ１０５を設けている。さらに、筆記者の指が接触しないペン尻部には周囲温度を測定するための周囲温度センサ１０６を配置し、またペン内には無線モジュール１１０を設けている。なお、筆記者の指が上記皮膚温度センサ１０１、脈波センサ１０２及び皮膚電位センサ１０３に密着しやすくするために、グリップ部には窪みを形成するとよい。
【００２４】
図６は、上記ペン型デバイスＰＤの機能構成を示すブロック図である。  
皮膚温度センサ１０１及び周囲温度センサ１０６はそれぞれ筆記ユーザの指先の皮膚温度、及びその周囲の気温を測定し、その測定値を時系列の電気信号として出力する。脈波センサ１０２は、例えば発光素子からユーザの指先に近赤外光を照射し、血中のヘモグロビン量に応じて散乱する光量を受光素子で受光することにより、散乱光の変化量を電流値あるいは電圧値の変化量に変換した時系列の電気信号を出力する。なお、脈波センサは、圧電素子を用いて指先の血流量の変化を圧力変化として検出して時系列の電気信号を出力するものであってもよい。
【００２５】
皮膚電位センサ１０３は、筆記ユーザの指先の皮膚電位水準（ＳＰＬ）及び皮膚電位反応（ＳＰＲ）を測定し、その測定値を時系列の電気信号として出力する。加速度センサ１０４は、筆記ユーザの筆記時の指先の動きを三次元的に測定してその測定値を時系列の電気信号として出力する。圧力センサ１０５は、筆記ユーザの筆記時の筆圧を測定してその測定値を時系列の電気信号として出力する。
【００２６】
制御部１２０は、Ａ／Ｄ（Analog to Digital）変換部、ＣＰＵ（Central Processing Unit）及びメモリを備える。そして、上記各センサ１０１〜１０６から出力された測定信号をそれぞれＡ／Ｄ変換してメモリに一旦蓄積し、一定時間分の測定データが蓄積されるごとに、ＣＰＵの制御の下で当該測定データを読み出して符号化し、さらに多重化したのち、無線モジュール１１０からパーソナル・コンピュータＰＣに向け送信する処理を行う。
【００２７】
一方、推定装置としてのパーソナル・コンピュータＰＣは以下のように構成される。図７はその機能構成を示すブロック図である。すなわち、パーソナル・コンピュータＰＣは、制御ユニット２００と、無線ユニット２１０と、記憶ユニット２２０を備える。
【００２８】
無線ユニット２１０は、上記ペン型デバイスＰＤから送信された測定データを無線ネットワークＮＷを介して受信する。なお、無線ネットワークＮＷとしては、例えば無線ＬＡＮ（Local Area Network）やＢＴ（Bluetooth）（登録商標）等の微小電力無線データ伝送規格を採用した近距離無線ネットワークが用いられる。
【００２９】
記憶ユニット２２０は、ＨＤＤ（Hard Disc Drive）やＳＳＤ（Solid State Drive）等の随時書込及び読出動作が可能な不揮発性記憶装置を使用したもので、この発明の一実施形態を実施する上で必要な記憶領域として、センサデータ記憶部２２１と、しきい値データ記憶部２２２と、集中状態推定テーブル２２３と、推定情報記憶部２２４を備えている。
【００３０】
センサデータ記憶部２２１は、上記ペン型デバイスＰＤから受信した各センサ１０１〜１０６の測定データ、つまり皮膚温度、脈波、皮膚電位、筆加速度、筆圧及び周辺温度の各測定データを蓄積するために使用される。しきい値データ記憶部２２２には、上記各センサ１０１〜１０６の測定データの値を判定するために用いるしきい値が記憶されている。集中状態推定テーブル２２３には、「緊張」、「覚醒」及び「没入」の３要素からなるベクトルの値に対応付けて、集中状態の推定結果を表す情報が記憶されている。推定情報記憶部２２４は、上記集中状態推定テーブル２２３をもとに推定された集中状態の推定結果を表す情報を記憶するために使用される。
【００３１】
制御ユニット２００は例えばＣＰＵ（Central Processing Unit）を備え、この発明の一実施形態を実施する上で必要な制御機能として、センサデータ取得制御部２０１と、センサデータ比較部２０２と、要素値変更部２０３と、集中状態ベクトル算出部２０４と、集中状態推定処理部２０５と、推定情報記憶制御部２０６と、推定情報出力制御部２０７を有している。なお、これらの制御機能は何れも、図示しないプログラムメモリに格納されたプログラムを上記ＣＰＵに実行させることにより実現される。
【００３２】
センサデータ取得制御部２０１は、ペン型デバイスＰＤから測定データ群が送信されるごとに、当該測定データ群を無線ユニット２１０を介して受信し、この受信した測定データ群を個々に分離復号したのち、センサＩＤと関連付けて上記センサデータ記憶部２２１に記憶させる処理を行う。
【００３３】
センサデータ比較部２０２は、上記センサデータ記憶部２２１からセンサ別にその測定データ、つまり皮膚温度、脈波、皮膚電位、筆加速度及び筆圧の各測定データを読み出す。これらの測定データの値をそれぞれ上記しきい値データ記憶部２２２に記憶されている対応するしきい値と比較し、測定データ値がしきい値の範囲内であるか範囲外であるかを判定する処理を行う。
【００３４】
要素値変更部２０３は、上記センサデータ記憶部２２１から読み出した各測定データ値をそれぞれ人の集中状態を定義する「緊張」、「覚醒」及び「没入」からなる３つの要素に対応付け、上記各測定データ値としきい値との比較判定結果に応じて、当該各測定データ値が対応付けられた上記３つの要素の値を増減する処理を行う。
【００３５】
集中状態ベクトル算出部２０４は、上記要素値変更部２０３により増減処理された「緊張」、「覚醒」及び「没入」からなる３つの要素値を三次元空間上にマッピングしたベクトル情報を生成する処理を行う。
【００３６】
集中状態推定処理部２０５は、上記集中状態推定テーブル２２３から、上記集中状態ベクトル算出部２０４により生成されたベクトルの値に対応する集中状態の推定結果を表す情報を読み出す処理を行う。
【００３７】
推定情報記憶制御部２０６は、上記集中状態推定処理部２０５により集中状態推定テーブル２２３から読み出された集中状態の推定結果を表す情報を、推定対象ユーザの識別情報と関連付けて推定情報記憶部２２４に格納する処理を実行する。
【００３８】
推定情報出力制御部２０７は、例えば推定対象ユーザ自身或いは当該ユーザの管理者が使用する端末、さらには上記ユーザに対するレコメンドサービス等を行うサービス事業者のサーバから推定結果の取得要求を受信した場合に、上記推定情報記憶部２２４から該当する推定結果を表す情報を読み出す。そして、この読み出された推定結果を表す情報を、無線ユニット２１０から要求元の端末へ送信する処理を行う。また、推定情報出力制御部２０７は、当該パーソナル・コンピュータＰＣにおいて推定結果を表す情報の表示、印刷又は他の記憶媒体への転送要求が入力された場合にも、上記推定情報記憶部２２４から該当する推定結果を表す情報を読み出して出力する。
【００３９】
（動作）
次に、以上のように構成された集中状態推定システムの動作を説明する。  
（１）ペン型デバイスＰＤにおける測定動作
ペン型デバイスＰＤを用いてユーザが筆記を開始すると、皮膚温度センサ１０１、周囲温度センサ、脈波センサ１０２及び皮膚電位センサ１０３により、それぞれ筆記中のユーザの指先の皮膚温度、周囲温度、脈波及び皮膚電位が時系列で測定され、その測定信号がそれぞれディジタル化されて測定データとして制御部１２０に保存される。
【００４０】
また、それと同時に加速度センサ１０４及び圧力センサ１０５によりそれぞれ筆記時の指先の動きと筆圧が時系列で測定され、その測定信号がディジタル化されて測定データとして制御部１２０内のメモリに保存される。なお、上記各測定データは、制御部１２０内のクロック発生器により発生されるクロックにより相互に同期が取られたのち保存される。
【００４１】
そして、上記保存された各測定データは、一定時間分ずつ読み出されて符号化され、さらに多重化されたのち無線モジュール１１０からパーソナル・コンピュータＰＣに向け送信される。
【００４２】
（２）パーソナル・コンピュータＰＣにおける集中状態推定動作
図８はパーソナル・コンピュータＰＣにおける推定動作の流れを示す図である。  
（２−１）測定データの取得
上記ペン型デバイスＰＤから送信データが送られると、当該送信データは無線ユニット２１０により受信されたのち制御ユニット２００に取り込まれる。制御ユニット２００は、センサデータ取得制御部２０１の制御の下、ステップＳ１０１〜Ｓ１０５において指先の皮膚温度、脈波、皮膚電位、筆加速度及び筆圧の各測定データに分離し、センサＩＤと関連付けてセンタデータ記憶部２２１に記憶させる。
【００４３】
このとき、各センサ１０１〜１０６はノイズの影響を受けやすいため、上記各測定データを平滑化処理してノイズを除去したのち、センタデータ記憶部２２１に記憶させる。例えば、皮膚温度の場合、時間ｔにおける測定データをｘ(t) 、記憶する測定データをｆ(t) とすると、ｆ(t) ＝ｆ(t-1) ×0.9 ＋ｘ(t) ×0.1 とする。このよう平滑処理を施すことでノイズを除去することができる。図９は、平滑処理前の生の測定データと平滑処理後の測定データを比較して示したものである。
【００４４】
また、皮膚温度は、筆記ユーザの指先の温度だけでなく周囲温度（気温）の影響も受ける。このため、センサデータ取得制御部２０１は、ステップＳ１０１において上記皮膚温度の測定データを、周囲温度センサ１０６により測定された周囲温度の測定データに基づいてキャリブレーション処理し、この処理後の皮膚温度の測定データをセンタデータ記憶部２２１に記憶させる。
【００４５】
（２−２）各測定データの比較判定
上記皮膚温度、脈波、皮膚電位、筆加速度及び筆圧の各測定データと人の集中状態（集中力）との間には、以下のような関係がある。  
すなわち、皮膚温度は自律神経の状態による血管の拡大縮小によって変化する。皮膚温度が低い場合には「緊張」の度合いが低く「覚醒」の度合いが高い状態を表し、皮膚温度が高い場合には「緊張」の度合いが高く「覚醒」の度合いが低い状態を表す。集中状態によって皮膚温度が変化する様子を図１０に示す。図１０は同一難易度の計算問題を５分間解いたときの左手人差し指の指先温度の平均値の例を示している。同図に示すように、２回の計算タスクを行った場合、１回目より２回目の方が緊張しなかったと回答した被験者の指先温度は下がっており、１回目より２回目の方が緊張したと回答した被験者の指先温度は上がっている。
【００４６】
脈波のLow-Frequency／High-Frequency（LF／HF）は、交感神経と副交感神経の活動の度合いを示す。LF／HFが大きいと「緊張」の度合いが高く、小さいと「緊張」の度合いが低い状態を示す。また、脈波から脈拍を算出することで「覚醒」の度合いを推定することができる。脈拍数が小さい場合は「覚醒」の度合いが低い状態を表し、大きい場合は「覚醒」の度合いが高い状態を表す。
【００４７】
皮膚電位からは、皮膚電位水準（SPL）及び皮膚電位反応（SPR）と呼ばれるパラメータを取得でき、このうちSPLは陰性に高いほど「覚醒」の度合いが高いことを示し、SPRが頻発すると「緊張」の度合いが高い状態であることを示す。
【００４８】
筆加速度の大きさからは「没入」の度合いを推定できる。すなわち、筆加速度が高いほど「没入」の度合いが高い状態にあると推定できる。筆圧からも「没入」の度合いを推定することができる。すなわち、筆圧が高いと「没入」の度合いが高いと推定することができる。
【００４９】
以上のような関係に基づいて、皮膚温度、脈波、皮膚電位、筆加速度及び筆圧のそれぞれについてしきい値範囲を予め設定し、これらのしきい値範囲を示すデータをしきい値データ記憶部２２２に記憶しておく。そして、センサデータ比較部２０２の制御の下で、上記センタデータ記憶部２２１から皮膚温度、脈波、皮膚電位、筆加速度及び筆圧の各測定データを所定時間おきに読み出し、ステップＳ１１１〜Ｓ１１５においてそれぞれ上記読み出された皮膚温度、脈波、皮膚電位、筆加速度及び筆圧の各測定データを、しきい値データ記憶部２２２に記憶されている対応するしきい値範囲と比較する。この比較処理により、上記皮膚温度、脈波、皮膚電位、筆加速度及び筆圧の各測定値が、「緊張」、「覚醒」及び「没入」の度合いの高い状態を表しているのか、或いは低い状態を表しているのかを判定することが可能となる。
【００５０】
（２−３）「緊張」、「覚醒」及び「没入」の要素値の変更
制御ユニット２００は、次に要素値変更部２０３の制御の下、ステップＳ１２１〜Ｓ１２５において、上記センサデータ比較部２０２の比較結果に応じて、「緊張」、「覚醒」及び「没入」の要素値を加算又は減算する。
【００５１】
例えば、いま基準状態におけるユーザの指先温度を２８−３２℃と設定し、ユーザがペン型デバイスＰＤを用いて筆記作業をしている時に指先温度が２６℃（＜２８℃）に低下したとする。この場合、ユーザが基準状態よりも緊張しておらず覚醒していると推定できるため、「緊張」の度合いを表すｘの値を減少させ、「覚醒」の度合いを表すｙの値を増加させる。また、同時に脈波から得られる脈拍数がしきい値範囲より多く、さらに皮膚電位のパラメータの１つであるＳＰＬがしきい値範囲より陰性方向に高かったとすると、覚醒の度合いが高いと推定できるので、「覚醒」の度合いを表すｙの値をさらに増加させる。さらに、筆加速度又は筆圧の測定値がしきい値範囲を超えて増加した場合には、筆記作業に没入していると推定できるため、「没入」の度合いを表すｚの値を増加させる。
【００５２】
（２−４）集中状態ベクトルの生成
制御ユニット２００は、続いて集中状態ベクトル算出部２０４の制御の下、ステップＳ１３０において、上記要素値変更部２０３により加減算処理された３つの要素値ｘ，ｙ，ｚを三次元空間上にマッピングすることで集中状態ベクトルを生成する。
【００５３】
例えば、いま「緊張」の度合いを表すｘの値がｘ＝−１、「覚醒」の度合いを表すｙの値がｙ＝３、「没入」の度合いを表すｚの値がｚ＝１だったとすると、集中情報ベクトルｆはｆ＝（−１，３，１）となる。すなわち、集中状態が３要素のベクトルとして数値化されて表される。
【００５４】
（２−５）集中状態の推定及び保存
上記集中状態ベクトル算出部２０４により集中状態ベクトルが生成されるごとに、制御ユニット２００は集中状態推定処理部２０５の制御の下で、ステップＳ１４０により集中状態推定テーブル２２３を参照して集中力を推定する。例えば、集中状態推定テーブル２２３には、「緊張」、「覚醒」及び「没入」の各要素値の全ての組み合わせに対応付けて集中状態の様子を表す情報が記憶されている。
【００５５】
図１１は集中状態推定テーブルの一例を示す図である。なお、図１１では「緊張」、「覚醒」及び「没入」の各要素値を“＋”、“−”のみにより表した場合を例示したが、数値により表してもよい。集中状態推定処理部２０５は、集中状態推定テーブル２２３から、上記集中状態ベクトル算出部２０４により生成された集中状態ベクトルに対応する集中状態の様子を表す情報を読み出す。
【００５６】
そして、制御ユニット２００は、最後に推定情報記憶制御部２０６の制御の下で、上記集中状態推定テーブル２２３から読み出された集中状態の様子を表す情報を、測定時刻を表す情報を付与し、かつユーザの識別情報（ユーザＩＤ）と関連付けて、集中状態の推定結果を表す情報として推定情報記憶部２２４に記憶させる。
【００５７】
（３）集中状態推定結果の出力
例えば、いまユーザ自身或いは当該ユーザの管理者が使用する端末、さらには上記ユーザに対するレコメンドサービス等を行うサービス事業者のサーバから推定結果の取得要求を受信したとする。この場合、制御ユニット２００は、推定情報出力制御部２０７の制御の下、上記推定情報記憶部２２４から該当する推定結果を表す情報を読み出す。そして、この読み出された推定結果を表す情報を、無線ユニット２１０から要求元の端末へ送信する。
【００５８】
また、パーソナル・コンピュータＰＣにおいて、所望ユーザの集中状態推定情報の表示、印刷又は他の記憶媒体への転送要求が入力されたとする。この場合制御ユニット２００は、推定情報出力制御部２０７の制御の下、上記推定情報記憶部２２４から該当する推定結果を表す情報を読み出し、図示しない表示部に表示するか、プリンタから印刷出力させるか、外部記憶媒体に転送し記憶させる。
【００５９】
（効果）
以上詳述したようにこの実施形態では、ペン型デバイスＰＤに、皮膚温度センサ１０１、脈波センサ１０２、皮膚電位センサ１０３、加速度センサ１０４及び圧力センサ１０５を設け、これらのセンサにより測定された生体情報を、パーソナル・コンピュータＰＣへ無線ネットワークＮＷを介して送信する。これに対しパーソナル・コンピュータＰＣでは、上記ペン型デバイスＰＤから送信された各測定データを受信し、この受信された測定データの値を予め設定したしきい値範囲と比較して測定データ値がしきい値の範囲内であるか範囲外であるかを判定する。そして、上記測定データ値をそれぞれ人の集中状態を定義する「緊張」、「覚醒」及び「没入」からなる３つの要素に対応付け、上記各測定データ値としきい値との比較判定結果に応じて当該各測定データ値が対応付けられた上記３つの要素の値を増減する。そして、上記増減された「緊張」、「覚醒」及び「没入」からなる３つの要素値を三次元空間上にマッピングしたベクトル情報を生成し、このベクトルの値に対応する集中状態の推定結果を表す情報を集中状態推定テーブル２２３から読み出すようにしている。
【００６０】
したがって、測定された複数の生体情報が、「緊張」、「覚醒」及び「没入」からなる３つの要素により表されるベクトル情報に変換され、このベクトル情報がユーザの集中状態の推定結果として出力される。このため、ユーザの集中の状態を簡単かつ精度良くに推定することが可能となる。
【００６１】
また、図８に示すように指先の皮膚温度、脈波、皮膚電位の各測定値をいずれも「緊張」および「覚醒」の２つの要素に対応付け、各測定値の判定結果に応じて「緊張」および「覚醒」の２つの要素値を可変するようにしている。したがって、皮膚温度、脈波、皮膚電位の各測定値が上記２つ要素値にもれなく反映される。したがって、生体情報を３つの要素のいずれか１つのみに対応付ける場合に比べ、生体情報の値をより精度良くベクトル情報に変換することが可能となる。
【００６２】
さらに、ペン型デバイスＰＤに各種センサ１０１〜１０６を設けて、筆記時のユーザの生体情報を測定するようにしているので、温度センサや脈波センサ等のセンサ類をユーザに直接取着することなく、つまりユーザに測定のための特別な負担を強いることなくユーザの生体情報を測定することが可能となる。
【００６３】
［他の実施形態］
前記実施形態では、各種センサをペン型デバイスＰＤに、推定処理に必要な各種機能をパーソナル・コンピュータＰＣにそれぞれ設けた場合を例にとって説明したが、各種センサと推定処理に必要な各種機能を全てペン型デバイスＰＤに設けるようにしてもよい。また、ペン型デバイスの代わりに、スマートホンや携帯電話機、電子書籍端末、ゲーム機、カメラ、携帯型テレビ等を適用することができる。さらに、推定装置はパーソナル・コンピュータ以外にクラウドシステムのサーバ装置などに設けるようにしてもよい。
【００６４】
その他、測定装置及び推測装置の種類やその構成、生体情報の測定処理や集中状態推定処理の手順や処理内容等についても、この発明の要旨を逸脱しない範囲で種々変形して実施可能である。
【００６５】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００６６】
１…生体情報測定ユニット、２…集中状態推定ユニット、１１…「緊張」測定部、１２…「覚醒」測定部、１３…「没入」測定部、１４…クロック発生部、１５…無線送信部、２１…無線受信部、２２…生体情報記憶部、２３…生体情報比較部、２４…集中状態算出部、２５…集中状態記憶部、ＰＤ…ペン型デバイス、ＮＷ…無線ネットワーク、ＰＣ…パーソナル・コンピュータ、１０１…皮膚温度センサ、１０２…脈波センサ、１０３…皮膚電位センサ、１０４…筆加速度センサ、１０５…筆圧力センサ、１０６…周囲温度センサ、１１０…無線モジュール、１２０…制御部、２００…制御ユニット、２０１…センサデータ取得制御部、２０２…センサデータ比較部、２０３…要素値変更部、２０４…集中状態ベクトル算出部、２０５…集中状態推定処理部、２０６…推定情報記憶制御部、２０７…推定情報出力制御部、２１０…無線ユニット、２２０…記憶ユニット、２２１…センサデータ記憶部、２２２…しきい値データ記憶部、２２３…集中状態推定テーブル、２２４…推定情報記憶部。
【図１】
2014158600.tif 000003
【図２】
2014158600.tif 000004
【図３】
2014158600.tif 000005
【図４】
2014158600.tif 000006
【図５】
2014158600.tif 000007
【図６】
2014158600.tif 000008
【図７】
2014158600.tif 000009
【図８】
2014158600.tif 000010
【図９】
2014158600.tif 000011
【図１０】
2014158600.tif 000012
【図１１】
2014158600.tif 000013